【手続補正書】
【提出日】平成18年5月24日(2006.5.24)
【手続補正１】
【補正対象書類名】明細書
【補正対象項目名】発明の名称
【補正方法】変更
【補正の内容】
【発明の名称】記録・印刷システム、プログラム、記録媒体、携帯型装置及びその記録・印刷方法
【手続補正２】
【補正対象書類名】明細書
【補正対象項目名】特許請求の範囲
【補正方法】変更
【補正の内容】
【特許請求の範囲】
【請求項１】  所望の記録対象をコンテンツデータとして記録し、
前記コンテンツデータに対するキー情報の入力を受け付け、
前記キー情報に対応する所定のパターン情報を生成し、
前記パターン情報の生成の度に前記パターン情報の印刷指示を行う携帯型装置と、
少なくとも前記パターン情報を所定の媒体に印刷する印刷装置と、
を備えたことを特徴とする記録・印刷システム。
【請求項２】  所望の記録対象をコンテンツデータとして記録し、
前記コンテンツデータに対するキー情報の入力を受け付けて記録し、
前記キー情報に対応する所定のパターン情報を生成し、
前記コンテンツデータの記録終了後の任意のタイミングで前記パターン情報の印刷指示を行なう携帯型装置と、
少なくとも前記パターン情報を所定の媒体に一括して印刷する印刷装置と、
を備えたことを特徴とする記録・印刷システム。
【請求項３】  請求項１又は２に記載の記録・印刷システムにおいて、
前記印刷装置は、その一部又は全域に接着剤が塗布された紙などの媒体を印刷することを特徴とする記録・印刷システム。
【請求項４】  請求項１乃至３のいずれかに記載の記録・印刷システムにおいて、
前記印刷装置は、前記パターン情報に加えて、前記コンテンツデータを明示的に示す図形を印刷することを特徴とする記録・印刷システム。
【請求項５】  所望の記録対象をコンテンツデータとして記録するステップと、
前記コンテンツデータに対するキー情報の入力を受け付けるステップと、
前記キー情報に対応する所定のパターン情報を生成するステップと、
前記パターン情報の生成の度に前記パターン情報の印刷指示を行うステップと、
少なくとも前記パターン情報を所定の媒体に印刷するステップと、
を備えたことを特徴とするプログラム。
【請求項６】  所望の記録対象をコンテンツデータとして記録するステップと、
前記コンテンツデータに対するキー情報の入力を受け付けて記録するステップと、
前記キー情報に対応する所定のパターン情報を生成するステップと、
前記コンテンツデータの記録終了後の任意のタイミングで前記パターン情報の印刷指示を行なうステップと、
少なくとも前記パターン情報を所定の媒体に一括して印刷するステップと、
を備えたことを特徴とするプログラム。
【請求項７】  請求項５又は６に記載のプログラムを記録したことを特徴とする記録媒体。
【請求項８】  所望の記録対象をコンテンツデータとして記録する記録手段と、
前記コンテンツデータに対するキー情報の入力を受け付ける入力受付手段と、
前記キー情報の入力を受け付けると、前記キー情報と前記コンテンツデータとを対応付けて記憶する記憶手段と、
前記キー情報の入力を受け付けると、前記キー情報に基づいて所定のパターン情報を生成するパターン情報生成手段と、
前記生成したパターン情報を印刷装置に転送して前記生成したパターン情報の印刷を指示する印刷指示手段と、
を備えることを特徴とする携帯型装置。
【請求項９】  所定のパターン情報を読み取る読取装置に接続された携帯型装置において、
コンテンツデータと前記コンテンツデータに対応付けられたキー情報とを記憶する記憶手段と、
前記読取装置により読み取られたパターン情報を前記読取装置から受信すると、前記パターン情報からキー情報を読み取るキー情報読取手段と、
前記読み取られたキー情報に基づいて前記記憶装置を検索し、前記キー情報に対応するコンテンツデータを読み出すコンテンツデータ読出手段と、
を備えることを特徴とする携帯型装置。
【請求項１０】  所望の記録対象をコンテンツデータとして記録する記録手段と、
前記コンテンツデータに対するキー情報の入力を受け付ける入力受付手段と、
前記キー情報の入力を受け付けると、前記キー情報と前記コンテンツデータとを対応付けて記憶する記憶手段と、
前記キー情報の入力を受け付けると、前記キー情報に基づいて所定のパターン情報を生成するパターン情報生成手段と、
前記生成したパターン情報を印刷装置に転送して前記生成したパターン情報の印刷を指示する印刷指示手段と、
を備えることを特徴とする携帯型装置の記録・印刷方法。
【請求項１１】  所定のパターン情報を読み取る読取装置に接続された携帯型装置の記録・印刷方法において、
コンテンツデータと前記コンテンツデータに対応付けられたキー情報とを記憶する記憶手段と、
前記読取装置により読み取られたパターン情報を前記読取装置から受信すると、前記パターン情報からキー情報を読み取るキー情報読取手段と、
前記読み取られたキー情報に基づいて前記記憶装置を検索し、前記キー情報に対応するコンテンツデータを読み出すコンテンツデータ読出手段と、
を備えることを特徴とする携帯型装置の記録・印刷方法。
【手続補正３】
【補正対象書類名】明細書
【補正対象項目名】０００１
【補正方法】変更
【補正の内容】
【０００１】
【発明の属する技術分野】
本発明は、オーディオデータやビデオデータなどのコンテンツデータの記録を行うことができる記録・印刷システム、プログラム、記録媒体、携帯型装置及び記録・印刷方法に関し、後にコンテンツデータを検索するためのキー情報を記号化して紙面に印刷することにより、一覧性・追記性の優れた紙媒体の生成及び紙情報と電子情報との関連付けを自由に行うことを可能にした記録・印刷システム、プログラム、記録媒体、携帯型装置の記録・印刷方法に関するものである。
【手続補正４】
【補正対象書類名】明細書
【補正対象項目名】０００４
【補正方法】変更
【補正の内容】
【０００４】
【課題を解決するための手段】
上述の問題点を解決するために、請求項１記載の発明では、所望の記録対象をコンテンツデータとして記録し、前記コンテンツデータに対するキー情報の入力を受け付け、前記キー情報に対応する所定のパターン情報を生成し、前記パターン情報の生成の度に前記パターン情報の印刷指示を行う携帯型装置と、少なくとも前記パターン情報を所定の媒体に印刷する印刷装置と、を備えたことを特徴とする。
請求項２記載の発明では、所望の記録対象をコンテンツデータとして記録し、前記コンテンツデータに対するキー情報の入力を受け付けて記録し、前記キー情報に対応する所定のパターン情報を生成し、前記コンテンツデータの記録終了後の任意のタイミングで前記パターン情報の印刷指示を行なう携帯型装置と、少なくとも前記パターン情報を所定の媒体に一括して印刷する印刷装置と、を備えたことを特徴とする。
請求項３記載の発明では、前記印刷装置は、その一部又は全域に接着剤が塗布された紙などの媒体を印刷する記録・印刷システムを主要な特徴とする。
請求項４記載の発明では、前記印刷装置は、前記パターン情報に加えて、前記コンテンツデータを明示的に示す図形を印刷することを特徴とする。
請求項５記載の発明では、所望の記録対象をコンテンツデータとして記録するステップと、前記コンテンツデータに対するキー情報の入力を受け付けるステップと、前記キー情報に対応する所定のパターン情報を生成するステップと、前記パターン情報の生成の度に前記パターン情報の印刷指示を行うステップと、少なくとも前記パターン情報を所定の媒体に印刷するステップと、を備えたことを特徴とする。
請求項６記載の発明では、所望の記録対象をコンテンツデータとして記録するステップと、前記コンテンツデータに対するキー情報の入力を受け付けて記録するステップと、前記キー情報に対応する所定のパターン情報を生成するステップと、前記コンテンツデータの記録終了後の任意のタイミングで前記パターン情報の印刷指示を行なうステップと、少なくとも前記パターン情報を所定の媒体に一括して印刷するステップと、を備えたことを特徴とする。
請求項７記載の発明では、請求項５又は６に記載のプログラムを記録した記録媒体を主要な特徴とする。
請求項８記載の発明では、所望の記録対象をコンテンツデータとして記録する記録手段と、前記コンテンツデータに対するキー情報の入力を受け付ける入力受付手段と、前記キー情報の入力を受け付けると、前記キー情報と前記コンテンツデータとを対応付けて記憶する記憶手段と、前記キー情報の入力を受け付けると、前記キー情報に基づいて所定のパターン情報を生成するパターン情報生成手段と、前記生成したパターン情報を印刷装置に転送して前記生成したパターン情報の印刷を指示する印刷指示手段と、を備えることを特徴とする
請求項９記載の発明では、所定のパターン情報を読み取る読取装置に接続された携帯型装置において、コンテンツデータと前記コンテンツデータに対応付けられたキー情報とを記憶する記憶手段と、前記読取装置により読み取られたパターン情報を前記読取装置から受信すると、前記パターン情報からキー情報を読み取るキー情報読取手段と、前記読み取られたキー情報に基づいて前記記憶装置を検索し、前記キー情報に対応するコンテンツデータを読み出すコンテンツデータ読出手段と、を備えることを特徴とする。
請求項１０記載の発明では、所望の記録対象をコンテンツデータとして記録する記録手段と、前記コンテンツデータに対するキー情報の入力を受け付ける入力受付手段と、前記キー情報の入力を受け付けると、前記キー情報と前記コンテンツデータとを対応付けて記憶する記憶手段と、前記キー情報の入力を受け付けると、前記キー情報に基づいて所定のパターン情報を生成するパターン情報生成手段と、前記生成したパターン情報を印刷装置に転送して前記生成したパターン情報の印刷を指示する印刷指示手段と、を備えることを特徴とする。
請求項１１記載の発明では、所定のパターン情報を読み取る読取装置に接続された携帯型装置の記録・印刷方法において、コンテンツデータと前記コンテンツデータに対応付けられたキー情報とを記憶する記憶手段と、前記読取装置により読み取られたパターン情報を前記読取装置から受信すると、前記パターン情報からキー情報を読み取るキー情報読取手段と、前記読み取られたキー情報に基づいて前記記憶装置を検索し、前記キー情報に対応するコンテンツデータを読み出すコンテンツデータ読出手段と、を備えることを特徴とする。
【手続補正５】
【補正対象書類名】明細書
【補正対象項目名】００１５
【補正方法】変更
【補正の内容】
【００１５】
【発明の効果】
以上説明したように、請求項１、請求項２、請求項５、請求項６、請求項８、請求項９、請求項１０、請求項１１によれば、ユーザ自らが、配布された紙媒体の資料とビデオデータやオーディオデータなどのコンテンツデータの関連付けをその場で効率的に行い、また、該コンテンツデータと関連付けられたメモ用紙などの媒体の生成をその場で容易に実行できるので紙情報と電子情報を含む情報の管理・検索の効率を飛躍的に向上させることができる。
請求項３によれば、例えば、講演中に紙の資料が配布されている場合や、自らが用意したメモ帳に書き込みを行っている場合に、接着剤が塗布された紙を用いて生成したラベルをこれらの紙媒体に貼り付けることにより、紙情報とコンテンツデータとを容易に関連付けることができる。
請求項４によれば、コンテンツデータを明示的に示す図形が印刷されるので、例えば、説明者の身振り、他の参加者の動き、及び説明者の筆記動作などの視覚的な変化が紙面上に表示され、これを用いて一層効率的なコンテンツデータの検索が可能となる。
請求項７によれば、紙情報と電子情報を関連付けるプログラムを記録媒体に格納したので、汎用性が拡大する。